(57)【要約】【課題】この考案は、食品を簡単に収納でき、しかも食べるのに便利な食品包装材を提供することを目的とする。【解決手段】上述の課題を解決するため、この考案の食品包装材１は、袋状の食品包装材であって、袋本体部３と、袋本体部の内側に不織布が設けられた不織布敷設部６と、不織布が設けられていないスリット状の不織布不在部５と、切断のために形成されたミシン目７を有し、ミシン目７が不織布不在部５に形成されていることを特徴とする。【選択図】図３
0003149293.tif 000002
【実用新案登録請求の範囲】
【請求項１】
袋状の食品包装材であって、袋本体部と、袋本体部の内側に不織布が設けられた不織布敷設部と、不織布が設けられていないスリット状の不織布不在部と、切断のために形成されたミシン目を有し、ミシン目が不織布不在部に形成されていることを特徴とする食品包装材。
【請求項２】
底部側において幅が徐々に狭くなる形状である請求項１に記載の食品包装材。
【考案の詳細な説明】
【技術分野】
【０００１】
この考案は、内部に食品を収納するための包装材に関するものである。
【背景技術】
【０００２】
特許文献１には、ハンバーガー等の油脂分を含有する食品等の包装袋において、耐油紙の面に、非塗布面に透過部を有する目止め層を塗布形成するとともに、この層を介して、積層不織布層を接着剤にて耐油紙に接着した構成の材料で袋体を形成することが記載されている。
【特許文献１】特開平５−３０５９７８
【考案の開示】
【考案が解決しようとする課題】
【０００３】
特許文献１の図３に示されるような包装袋は、食品を包装して持ち運ぶことができるとともに、食べる際の食器としてそのまま使用できるので便利である。    
【０００４】
しかし、食品を完全に閉じ込められるように袋を深くすると、食品は袋の内部に隠れてしまうので、指などで食品をつまみ出して食べなければならない。この場合、食品に含まれるソースなどの液体や油が指先に付着するので不快であり、また、食後に手洗いをしなければならない。
【０００５】
この考案は、食品を簡単に収納でき、しかも食べるのに便利な食品包装材を提供することを目的とする。
【課題を解決するための手段】
【０００６】
上述の課題を解決するため、この考案の食品包装材は、袋状の食品包装材であって、袋本体部と、袋本体部の内側に不織布が設けられた不織布敷設部と、不織布が設けられていないスリット状の不織布不在部と、切断のために形成されたミシン目を有し、ミシン目が不織布不在部に形成されていることを特徴とする。さらに、底部側において幅が徐々に狭くなる形状であることが好ましい。
【考案の効果】
【０００７】
この考案の食品包装材は、食品を食べるときにミシン目に沿って上部を切り離すことによって、内部の食品をそのまま食べることができるという効果を有する。残った底部をつかむことによって、食品に直接触れることなく食品を持つことができる。さらに、ミシン目が不織布不在部に形成されていることによって、切断部に不織布の切れ端などが発生しない。
【考案を実施するための最良の形態】
【０００８】
この考案を実施するための最良の形態について図面に基づいて説明する。図１は食品包装材の表面図、図２は同裏面図である。この例においては、使用前における食品包装材の厚さは、その長さや幅に比べると極めて小さいので、側面図、平面図、底面図は省略する。
【０００９】
さらに、図３は食品包装材の概要を示す概念図であり、袋の内部の一部図示を含む。
【００１０】
この食品包装材１は上部にフラップ部２を有し、概ね袋状である。フラップ部および袋本体部３は、食料を収納するのに十分な強度を有する薄い素材、たとえば紙やＣＰＰ、ＯＰＰなどのラミネートフィルムよりなる。ここでは、熱可塑性樹脂のコーティングが施された４０ｇ／ｍ２の純白紙を使用した。
【００１１】
フラップ部２および袋本体部３は１枚の紙より形成されており、底辺で折り返され、左右端部に加熱圧着によって接着部４が形成されることによって、フラップ部を有する袋の形状が形成されている。
【００１２】
そして、袋本体部の内側には、吸収材が設けられている。ここでは、吸収材として、食品容器によく使われる不織布を用いた。不織布は袋本体部の内側のほぼ全面に設けられるが、中央部付近には不織布が設けられていないスリット状の不織布不在部５が形成されており、この不織布不在部５の上下に不織布が設けられた不織布敷設部６ａ，６ｂが形成されている。
【００１３】
そして、また袋本体部３の中央付近において、袋を横断するように切断を容易にするためのミシン目が形成されている。このミシン目７は不織布敷設部６ａ，６ｂではなく、不織布不在部５上に形成されている。
【００１４】
ここで、この食品包装材１の外観について説明する。この食品包装材１は使用される前は、実質的に平面状であり、厚さは問題にならない。上部のフラップ部は概ね長方形である。袋部においては、口部付近の第１領域８は長方形であり、その幅は一定である。この第１領域８に続く底部側の第２領域９においては、底部に近づくに従って幅が次第に狭くなっている。
【００１５】
図３に示す例においては、上部の幅Ｗ１は１４５ｍｍ、底部の幅Ｗ２は１００ｍｍである。フラップ部の高さＬ１は４５ｍｍ、第１領域８の高さＬ２は２０ｍｍ、第２領域９の高さＬ３は１１５ｍｍである。さらに、袋部の内側の不織布不在部５の幅Ｌ４は１０ｍｍである。
【００１６】
ついで、この食品包装材１の使い方および作用について説明する。この食品包装材１は、ほぼ平面の状態で、ファストフード店などの食品提供者に供給される。食品提供者は、食品をこの食品包装材１の袋部に入れて、収納する。食品としては、たとえば、ハンバーガー、サンドイッチ、フライドチキンなどファストフード店で提供されるようなスナック食品のほか、コロッケや魚肉の揚げ物など様々なものが対象になりうる。
【００１７】
フラップ部２があるので簡単に口部を開くことができ、食品の収納は容易である。そして、このフラップ部２を折り返すことによって口部を閉じ、袋内部に食品を包み込むことができる。これで、食品の持ち運びは容易になり、店内での移動や持ち帰りがそのまま行える。
【００１８】
なお、食品包装材１の口部を開いて食品を入れると、袋の口部の幅が狭くなる。一方、底部において幅は変化しない。もし、袋部の全体が一定の幅であれば、内部に食品を入れたときに、底部が左右に突き出た状態になる。しかし、この例の食品包装材１では、底部側において幅が徐々に狭くなる形状になっているので、食品を入れたときにもほとんど突き出しが生じない。
【００１９】
袋本体部３の内部には不織布が吸収材として設けられているので、ソースなどの液体が食品から滲み出てきても不織布によって吸収され、外部に漏れ出ることが防止される。
【００２０】
さらに、この食品包装材１に収納されたまま食品を食べることができる。この食品包装材１の上部を上向きに引っ張れば、ミシン目７に沿って食品包装材１は容易に切断され、上半部が取り外される。下半分は、そのまま食品包装袋として残る。食品の大部分が残った袋部の上に露出するので、そのまま食べることができる。したがって、食品を指でつまみ出す必要がなく、指先を汚すこともなく快適である。
【００２１】
ミシン目７は、不織布不在部５に沿って形成されているので、袋を切断するときに、不織布は切断されない。したがって、不織布の切れ端や糸屑が口に触れたり食品に混ざりこむことが防止される。
【図面の簡単な説明】
【００２２】
【図１】食品包装材の表面図である。
【図２】食品包装材の裏面図である。
【図３】食品包装材の概要を示す概念図である。
【符号の説明】
【００２３】
１．食品包装材
２．フラップ部
３．袋本体部
４．接着部
５．不織布不在部
６．不織布敷設部
７．ミシン目
８．第１領域
９．第２領域
【図１】
0003149293.tif 000003
【図２】
0003149293.tif 000004
【図３】
0003149293.tif 000005